(57)【要約】      （修正有）【課題】自転車用操作装置において、第１爪をラチェット歯からさらに外れやすくする。【解決手段】ラチェット１４は、ラチェット歯１４ａを有し、第１方向Ａ，及びそれとは反対の第２方向Ｂに回転可能に第１軸１２ａに設けられる。爪支持部材１６は、第４軸１６ａと回転規制部１６ｂとを有し、第３方向Ｃ，及びそれとは反対の第４方向Ｄに回転可能に第２軸１２ｂに設けられる。第１爪部材１８は、第１方向へのラチェットの回転を規制するためにラチェット歯に係合する第１爪１８ａを有し、第１爪がラチェット歯から離れる第１非規制方向Ｅ，及びそれとは反対の第１規制方向Ｆに揺動可能に第４軸に設けられる。第２爪部材２０は、爪支持部材の第３方向Ｃへの回転を規制するために回転規制部に係合する第２爪２０ａを有し、第２爪が回転規制部から離れる第２非規制方向Ｇ，及びそれとは反対の第２規制方向Ｈに揺動自在に第３軸１２ｃに設けられる。【選択図】図１
2016203804.tif 000002
【特許請求の範囲】
【請求項１】
第１軸、第２軸、および第３軸を有するベース部材と、
少なくとも一つのラチェット歯を有し、第１方向および前記第１方向とは反対の第２方向に回転可能に前記第１軸に設けられるラチェットと、
第４軸と回転規制部とを有し、第３方向および前記第３方向とは反対の第４方向に回転可能に前記第２軸に設けられる爪支持部材と、
前記第１方向への前記ラチェットの回転を規制するために前記ラチェット歯に係合する第１爪を有し、前記第１爪が前記ラチェット歯から離れる第１非規制方向および前記第１非規制方向とは反対の第１規制方向に揺動可能に前記第４軸に設けられる第１爪部材と、
前記爪支持部材の前記第３方向への回転を規制するために前記回転規制部に係合する第２爪を有し、前記第２爪が前記回転規制部から離れる第２非規制方向および前記第２非規制方向とは反対の第２規制方向に揺動自在に前記第３軸に設けられる第２爪部材と、
を備える、自転車用操作装置。
【請求項２】
前記ラチェットは、前記爪支持部材に向かって延びるアーム部および前記アーム部の先端に設けられる押圧部を有し、
前記爪支持部材は、前記押圧部によって前記第４方向に押圧される被押圧部を有する、請求項１に記載の自転車用操作装置。
【請求項３】
前記爪支持部材を前記第３方向に付勢する第１付勢部材をさらに備える、請求項１または２に記載の自転車用操作装置。
【請求項４】
前記第１付勢部材は、第１爪部材を前記第１規制方向に付勢するように前記爪支持部材と前記第１爪部材との間に設けられる、請求項１から３のいずれか１項に記載の自転車用操作装置。
【請求項５】
前記第２爪部材を前記第２規制方向に付勢する第２付勢部材をさらに備える、請求項１から４のいずれか１項に記載の自転車用操作装置。
【発明の詳細な説明】
【技術分野】
【０００１】
本発明は、操作装置、特に、自転車用部品を操作する自転車用操作装置に関する。
【背景技術】
【０００２】
自転車の変速装置を操作する自転車用操作装置において、複数のラチェット歯を有するラチェットを操作部材によって回転させるものが従来知られている。従来の自転車用操作装置は、ベース部材と、ベース部材に揺動自在装着される操作部材と、ベース部材に回転自在に設けられるラチェットと、ベース部材に操作部材と同軸に回動自在に設けられる爪部材と、を有する。ベース部材は、ラチェットが回転自在設けられる第１軸と、操作部材が揺動自在に設けられ第２軸と、爪部材が回動自在に設けられる第３軸と、を有する（たとえば、特許文献１参照）。
【０００３】
操作部材は、初期位置と操作位置との間で揺動し、付勢部材によって初期位置側に付勢される。ラチェットは、複数のラチェット歯を有し、第１軸回りに第１方向および第１方向とは反対の第２方向に回転可能にベース部材に設けられる。ラチェットは、付勢部材によって第１方向に付勢される。爪部材は、ベース部材の第３軸に回転可能に設けられる。爪部材は、ラチェットを複数の回転位置のいずれかに位置決めする第１爪、およびラチェットが第１方向に一気に回転するのを防止する第２爪、を有する。操作部材の揺動によって、第１爪がラチェット歯に係合する第１係合位置と、第２爪がラチェットに係合する第２係合位置とに回転可能である。
【先行技術文献】
【特許文献】
【０００４】
【特許文献１】特開平１０−１９４１８７号公報
【発明の概要】
【発明が解決しようとする課題】
【０００５】
第１方向に付勢されるラチェットのラチェット歯から第１爪をさらに外れやすくすることが自転車用操作装置には求められる。
【０００６】
本発明の課題は、自転車用操作装置において、第１爪をラチェット歯からさらに外れやすくすることにある。
【課題を解決するための手段】
【０００７】
本発明に係る自転車用操作装置は、ベース部材と、ラチェットと、爪支持部材と、第１爪部材と、第２爪部材と、を備える。ベース部材は、第１軸、第２軸、および第３軸を有する。ラチェットは、少なくとも一つのラチェット歯を有し、第１方向および第１方向とは反対の第２方向に回転可能に第１軸に設けられる。爪支持部材は、第４軸と回転規制部とを有し、第３方向および第３方向とは反対の第４方向に回転可能に第２軸に設けられる。第１爪部材は、第１方向へのラチェットの回転を規制するためにラチェット歯に係合する第１爪を有し、第１爪がラチェット歯から離れる第１非規制方向および第１非規制方向とは反対の第１規制方向に揺動可能に第４軸に設けられる。第２爪部材は、爪支持部材の第３方向への回転を規制するために回転規制部に係合する第２爪を有し、第２爪が回転規制部から離れる第２非規制方向および第２非規制方向とは反対の第２規制方向に揺動自在に第３軸に設けられる。
【０００８】
この自転車用操作装置では、第２爪部材を第２非規制方向に揺動させると、第２爪が回転規制部から離れて爪支持部材が第３方向に回転する。これによって、爪支持部材に揺動可能に設けられ、第１規制方向に付勢された第１爪部材が付勢力に抗して第１非規制方向に揺動し、第１爪がラチェット歯から外れる。第１爪がラチェット歯から外れると、ラチェットは第１方向に回転する。ここでは、第１爪部材の揺動中心が回転する爪支持部材に設けられるので、爪支持部材と第１爪部材とが座屈したような状態になる。このため、第１爪がラチェット歯からさらに外れやすくなる。
【０００９】
自転車用操作装置において、ラチェットは、爪支持部材に向かって延びるアーム部およびアーム部の先端に設けられる押圧部を有し、爪支持部材は、押圧部によって第４方向に押圧される被押圧部を有してもよい。この場合には、ラチェットが第１方向に回転すると、押圧部が被押圧部を押圧して、爪支持部材が第４方向に回転する。第１爪部材が第４方向に回転すると、第２爪が回転規制部に係合して、爪支持部材が元の位置で止まる。これによって、ラチェットを一段階だけ第１方向に回転させることができる。
【００１０】
自転車用操作装置は、爪支持部材を第３方向に付勢する第１付勢部材をさらに備えてもよい。この場合には、第１方向に回転するラチェットの押圧部によって、爪支持部材が第４方向に回転しても、爪支持部材を元の位置に戻すことができる。
【００１１】
第１付勢部材は、第１爪部材を第１規制方向に付勢するように爪支持部材と第１爪部材との間に設けられる。この場合には、第１爪部材と爪支持部材とを一つの第１付勢部材によって付勢できるので、自転車用操作装置の構成を簡素にできる。
【００１２】
自転車用操作装置は、第２爪部材を第２規制方向に付勢する第２付勢部材をさらに備えてもよい。この場合には、第２爪部材を第２規制方向に揺動させても、第２爪部材の操作を解除することによって、第２爪部材を第２付勢部材によって瞬時に元の位置に戻すことができる。
【発明の効果】
【００１３】
本発明によれば、第１爪がラチェット歯からさらに外れやすくなる。
【図面の簡単な説明】
【００１４】
【図１】本発明の一実施形態による自転車用操作装置の平面模式図。
【図２】操作部材を操作したときの動作を示す平面模式図。
【図３】操作部材から手を離したときの動作を示す平面模式図。
【発明を実施するための形態】
【００１５】
＜操作装置の構成＞
図１において本発明の一実施形態による自転車用操作装置（以下、単に操作装置と記す）１０は、図示しない制御ケーブルによって変速装置を操作する装置である。操作装置１０は、ベース部材１２と、ラチェット１４と、爪支持部材１６と、第１爪部材１８と、第２爪部材２０と、を備える。また、操作装置１０は、第１付勢部材２４と、第２付勢部材２６と、第３付勢部材２８と、を備える。
【００１６】
ベース部材１２は、自転車に装着可能である。ベース部材１２は、自転車のたとえばハンドルバーに装着可能である。ベース部材１２は、ラチェット１４を回転自在に支持する第１軸１２ａと、爪支持部材１６を回転自在に支持する第２軸１２ｂと、第２爪部材２０を揺動自在に支持する第３軸１２ｃと、を有する。また、ベース部材１２は、第１爪部材１８を第２位置に位置決めする第１ストッパ１２ｄと、爪支持部材１６を非係合位置に位置決めする第２ストッパ１２ｅと、を有する。さらに、ベース部材１２は、第２付勢部材２６の一端を掛けるための第３ばね掛け部１２ｆを有する。第２爪部材２０は、第３ばね掛け部１２ｆと爪支持部材１６との間に設けられる。
【００１７】
ラチェット１４は、たとえば、ベース部材１２上に配置される。ラチェット１４は、少なくとも一つのラチェット歯１４ａを有する。本実施の形態では、ラチェット歯１４ａは、周方向に間隔を隔てて複数個配置される。複数のラチェット歯１４ａは、たとえば概ね直角三角形の鋸歯形状に突出して形成される。ラチェット１４は、第１軸１２ａに設けられる。ラチェット１４は、第１方向Ａと第１方向Ａとは反対の第２方向Ｂとに回転可能に第１軸１２ａに設けられる。ラチェット１４は、第３付勢部材（たとえば、捩りコイルばね）２８によって第１方向Ａ（図１時計回り）に付勢される。また、ラチェット１４は、爪支持部材１６に向かって延びるアーム部１４ｂと、アーム部１４ｂの先端に設けられる押圧部１４ｃと、を有する。本実施の形態では、押圧部１４ｃは、アーム部１４ｂの先端に所定角度揺動可能に設けられる。ラチェット１４には、制御ケーブルを巻き取り可能な図示しない巻き取り体が一体的に設けられる。すなわち、ラチェット１４は、図示しない巻き取り体と一体回転するように設けられる。
【００１８】
爪支持部材１６は、第４軸１６ａと、回転規制部１６ｂと、を有する。爪支持部材１６は、第３方向Ｃと第３方向Ｃとは反対の第４方向Ｄとに回転可能に第２軸１２ｂに設けられる。爪支持部材１６は、図１に示す第１位置と図２に示す第２位置との間で揺動可能に第２軸１２ｂに設けられる。爪支持部材１６は、第１付勢部材２４によって第３方向Ｃ（図１時計回り）に付勢される。爪支持部材１６は、第２ストッパ１２ｅによって第１位置と第２位置との間に回転範囲を規制するための規制凹部１６ｃと、第１付勢部材２４の一端が掛けられる第１ばね掛け部１６ｄと、押圧部１４ｃによって第４方向Ｄに回転するように押圧される被押圧部１６ｅと、を有する。第４軸１６ａには第１爪部材１８が揺動自在に支持される。回転規制部１６ｂは、第２爪部材２０に係合可能に、規制凹部１６ｃの端部から階段状に突出して形成される。規制凹部１６ｃは、円弧状に凹んで形成される。第１ばね掛け部１６ｄは、第１爪部材に向けて棒状に突出して形成される。被押圧部１６ｅは、爪支持部材１６に押圧部１４ｃに接触可能に突出する被押圧突起１６ｆを有する。
【００１９】
第１爪部材１８は、ラチェット１４を第１方向Ａに位置決めするためにラチェット歯１４ａに係合する第１爪１８ａを有する。第１爪部材１８は、第１爪１８ａがラチェット歯１４ａから離れる第１非規制方向Ｅと第１非規制方向Ｅとは反対の第１規制方向Ｆとに揺動可能に第４軸１６ａに設けられる。第１爪部材１８は、第１付勢部材２４によって、第１規制方向Ｆに付勢される。第１爪部材１８は、図１に示す第３位置と、図２に示す第２位置との間で爪支持部材１６に対して揺動可能に設けられる。第３位置においては第１爪部材１８の第１爪１８ａがラチェット歯１４ａに係合し、第４位置においては第１爪部材１８の第１爪１８ａがラチェット歯１４ａから離反する。第１爪１８ａは、ラチェット１４の第１方向Ａへの回転を規制するために第１爪部材１８が第３位置にあるときにラチェット歯１４ａに係合する。第１爪１８ａは、ラチェット１４に向けて、たとえば概ね直角三角形の鋸歯状に突出して設けられる。第１爪部材１８は、先端に設けられ、第１ストッパ１２ｄに接触する接触部１８ｂと、第１付勢部材２４の他端が掛けられる第２ばね掛け部１８ｃと、を有する。接触部１８ｂは、第１爪部材１８が、爪支持部材１６の第３方向Ｃの回転によって、第３位置から第４位置に揺動するとき第２ストッパ１２ｅに接触した状態を維持して、第１爪１８ａをラチェット歯１４ａから離反させるために設けられる。第２ばね掛け部１８ｃは、爪支持部材１６に向けて棒状に突出して形成される。
【００２０】
第２爪部材２０は、爪支持部材１６の第３方向Ｃへの回転を規制するために回転規制部１６ｂに係合する第２爪２０ａを有する。第２爪部材２０は、第２爪２０ａが回転規制部１６ｂから離れる第２非規制方向Ｇと第２非規制方向Ｇとは反対の第２規制方向Ｈとに揺動自在に第３軸１２ｃに設けられる。第２爪部材２０には、操作部２０ｂが一体的に形成される。第２爪２０ａは、爪支持部材１６に向けて、たとえば概ね直角三角形の鋸歯状に突出して設けられる。
【００２１】
操作部２０ｂは、第２爪部材２０を第２規制方向Ｈから第２非規制方向Ｇに操作するために設けられる。操作部２０ｂは、人手によって直接的に操作されてもよいし、別の操作部材によって操作されてもよい。第２付勢部材２６は、第２爪部材２０を第２規制方向Ｈに付勢するように設けられる。第２爪部材２０は、第２付勢部材２６の他端を掛けるための第４ばね掛け部２０ｃを有する。第４ばね掛け部２０ｃは、第３ばね掛け部１２ｆに向けて棒状に突出して形成される。
【００２２】
第１付勢部材２４は、前述したように、爪支持部材１６と第１爪部材１８との間に配置され、第１爪支持部材１６を第３方向Ｃに付勢し、かつ第１爪部材１８を第１規制方向Ｆに付勢する。第１付勢部材２４は、爪支持部材１６の第１ばね掛け部１６ｄの外周部に一端が掛けられ、他端が第１爪部材１８の第２ばね掛け部１８ｃの外周部に掛けられる。第１付勢部材２４は、第１ばね掛け部１６ｄと第２ばね掛け部１８ｃとの間に圧縮状態で配置された、たとえば、コイルばねである。第１付勢部材２４の付勢力は第３付勢部材２８の付勢力よりも小さい。したがって、第３付勢部材２８によってラチェット１４が第１方向Ａに回転すると、押圧部１４ｃによって押圧される爪支持部材１６は第４方向Ｄに回転する。
【００２３】
第２付勢部材２６は、前述したように、第２爪部材２０を爪支持部材１６に向けて付勢する。第２付勢部材２６は、一端がベース部材１２に設けられた第３ばね掛け部１２ｆの内部に掛けられ、他端が操作部材２２の第４ばね掛け部２０ｃの外周部に掛けられる。第２付勢部材２６は、第３ばね掛け部１２ｆと第４ばね掛け部２０ｃとの間に圧縮状態で配置される、たとえば、コイルばねである。
【００２４】
＜操作装置の動作＞
次に、解除動作について説明する。
【００２５】
図１に示すように、操作部２０ｂが待機位置にあるときには、第１爪部材１８は、第１付勢部材２４によって付勢され、第１爪１８ａがラチェット歯１４ａに係合する第３位置に配置される。図２に示すように、操作部２０ｂを介して第２爪部材２０が第２非規制方向Ｇに揺動されると、爪支持部材１６の回転規制部１６ｂに係合していた第２爪２０ａが回転規制部１６ｂから外れる。これによって、第１付勢部材２４によって付勢される爪支持部材１６が、第１位置（図１）から第３方向Ｃに回転する。爪支持部材１６は、規制凹部１６ｃが第２ストッパ１２ｅに接触する第２位置（図２）まで回転する。爪支持部材１６が第２位置まで回転すると、第４軸１６ａが第２軸１２ｂ回りに移動し、先端が第１ストッパ１２ｄに接触した第１爪部材１８が第１規制位置（図１）から第１非規制位置（図２）に第４軸１６ａ回りに揺動する。この結果、第１爪１８ａがラチェット歯１４ａから外れ、第３付勢部材２８によって付勢されるラチェット１４が第１方向Ａに回転する。
【００２６】
ラチェット１４が第１方向Ａに回転すると、ラチェット１４の押圧部１４ｃが、爪支持部材１６の被押圧部１６ｅを押圧する。これによって、爪支持部材１６が、第２位置から第１位置に向けて第１付勢部材２４の付勢力に抗して第４方向Ｄに回転する。爪支持部材１６が第４方向Ｄに回転して回転規制部１６ｂが第２爪２０ａを超えると、第２付勢部材２６によって付勢された第２爪部材２０が第２規制方向Ｈに揺動する。第２爪部材２０が第２規制方向Ｈに揺動すると、第２付勢部材２６によって付勢された第２爪部材２０の第２爪２０ａが回転規制部１６ｂに係合する。これによって、図３に示すように、爪支持部材１６が第１位置に保持される。
【００２７】
爪支持部材１６が第２位置から第１位置に回転すると、第４軸１６ａが第４方向Ｄに回転する。これによって、接触部１８ｂが第１ストッパ１２ｄに接触した第１爪部材１８は、第４軸１６ａ回りに、図２に示す第１非規制位置から図３に示す第１規制位置に揺動し、第１爪１８ａが操作前のラチェット歯１４ａよりも第１方向上流側のラチェット歯１４ａに係合する。これによって、解除方向（第１方向Ａ）に、ラチェット１４が１段階回転する。
【００２８】
ラチェット１４を巻取方向に位置決めする場合は、図示しない別の操作部材によって、ラチェット１４を、第３付勢部材２８の付勢力に抗して第２方向Ｂに段階的に回転させる公知の巻取動作を実行すればよい。このような巻取動作は、たとえば、特開平１０−１９４１８７号公報等に開示される。
【００２９】
このような操作装置１０では、解除動作時に、第１爪部材１８の揺動軸である第４軸１６ａを揺動させて第１爪部材１８を揺動させることによって、第１爪１８ａがラチェット歯１４ａによってラチェット歯１４ａから離れるように付勢される。すなわち、第１爪部材１８の揺動中心が回転するように爪支持部材１６に設けられるので、爪支持部材１６と第１爪部材１８とが座屈したような状態になる。このため、第１爪１８ａがラチェット歯１４ａからさらに外れやすくなる。
【００３０】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態および変形例は必要に応じて任意に組合せ可能である。
【００３１】
（ａ）上記実施形態では第１付勢部材２４によって、爪支持部材１６と第１爪部材１８とを付勢したが、本発明はこれに限定されない。爪支持部材と第１爪部材とを個別に付勢してもよい。
【００３２】
（ｂ）上記実施形態では、操作部材２２と第２爪部材２０とを一体で形成したが、本発明はこれに限定されない。操作部材は、第２爪部材を第２規制方向Ｈから第２非規制方向Ｇに操作できるものであれば、第２爪部材と別体であってもよい。ただし、操作部材は第２爪部材と連動して移動するのが好ましい。
【００３３】
（ｃ）上記実施形態では、押圧部１４ｃは、アーム部１４ｂに所定角度揺動可能に設けられたが、本発明はこれに限定されない。たとえば、押圧部は、アーム部に固定されてもよいしは、アーム部と一体に形成されてもよい。
【符号の説明】
【００３４】
１０    自転車用操作装置
１２    ベース部材
１２ａ  第１軸
１２ｂ  第２軸
１２ｃ  第３軸
１４    ラチェット
１４ａ  ラチェット歯
１６    爪支持部材
１６ａ  第４軸
１６ｂ  回転規制部
１８    第１爪部材
１８ａ  第１爪
２０    第２爪部材
２０ａ  第２爪
２０ｂ  操作部
２４    第１付勢部材
２６    第２付勢部材
Ａ    第１方向
Ｂ    第２方向
Ｃ    第３方向
Ｄ    第４方向
Ｅ    第１非規制方向
Ｆ    第１規制方向
Ｇ    第２非規制方向
Ｈ    第２規制方向
【図１】
2016203804.tif 000003
【図２】
2016203804.tif 000004
【図３】
2016203804.tif 000005